(57)【特許請求の範囲】
【請求項１】
対向する一対の側板を有するリール本体と、
前記側板の間に、回転可能に保持されるスプールと、
前記リール本体に装着され、前記スプールの回転を制動する制動ユニットと、
を備え、
前記制動ユニットは、
第１周縁部と、
前記第１周縁部とは異なる第２周縁部と、
前記第１周縁部に設けられ、前記スプールの回転軸の径方向に開口する第１開口部、及び前記第２周縁部に設けられる第２開口部、を有し、前記リール本体に装着可能なカバー部と、
前記カバー部に設けられ、前記第１開口部から少なくとも一部が露出する第１露出部を含む第１調整操作部を有し、制動力を第１調整範囲で調整する第１調整部と、
前記カバー部に設けられ、前記第２開口部から少なくとも一部が露出する第２露出部を含む第２調整操作部を有し、制動力を前記第１調整範囲と異なる第２調整範囲で調整する第２調整部と、
を有し、
前記リール本体は、
前記側板の上部に外側に張り出して形成され、前記制動ユニットが前記リール本体に装着されたときにおいて、前記第１露出部及び前記第２露出部のうち、少なくとも前記第１露出部を覆う規制部を有し、
前記第１露出部は、前記制動ユニットが前記リール本体から外されたときにおいて、前記カバー部に装着された状態で前記第１開口部から露出する、両軸受リール。
【請求項２】
前記第１調整部及び前記第２調整部の少なくとも一部は、前記スプールの回転軸と直交する同一平面上に配置されている、請求項１に記載の両軸受リール。
【請求項３】
前記制動ユニットは、前記スプールを電気的に制動可能である、請求項１又は２に記載の両軸受リール。
【請求項４】
前記第１調整部は、
前記第１調整操作部に設けられる少なくとも１つの第１磁石と、
前記第１磁石に対向し、前記第１調整操作部の調整位置を検出する第１検出部と、を有する、請求項３に記載の両軸受リール。
【請求項５】
前記第２調整部は、
前記第２調整操作部に設けられる少なくとも１つの第２磁石と、
前記第２磁石に対向し、前記第２調整操作部の調整位置を検出する第２検出部と、を有する、請求項３又は４に記載の両軸受リール。
【請求項６】
前記第１調整部は、
制動力の時間変化が異なる複数の制動モードのいずれかを選択するために設けられる、請求項３から５のいずれか１項に記載の両軸受リール。
【請求項７】
前記第２調整部は、
制動力の大きさが異なる複数の制動力のいずれかを選択するために設けられる、請求項３から６のいずれか１項に記載の両軸受リール。
【請求項８】
前記制動ユニットは、前記スプールを機械的に制動可能である、請求項１又は２に記載の両軸受リール。
【発明の詳細な説明】
【技術分野】
【０００１】
本発明は、両軸受リールのリール本体に対してスプール軸回りに回転自在なスプールを制動する制動ユニットを有する両軸受リールに関する。
【背景技術】
【０００２】
従来の一般的な両軸受リール、特にキャスティングで釣り糸を放出可能なベイトキャスティングリールには、スプールを制動する制動ユニットが設けられる。これによって、キャスティング時のバックラッシュを防止できる。
【０００３】
制動ユニットにおいて、制動力をより細かく調整できるようにするために、第１調整部と第２調整部との２つの調整部を有するものが知られている（例えば特許文献１参照）。
【０００４】
特許文献１の制動ユニットは、電気的に制御可能にスプールを制動する。制動ユニットは、リール本体に固定された軸支持部と、軸支持部の内側面に固定された回路基板と、磁石と複数のコイルとを有する制動部と、制動部の制動力を調整する第１調整部と、第２調整部と、を有する。軸支持部には、スプール軸の一端が軸受を介して回転自在に支持される。磁石は、スプールと一体回転可能に設けられ、複数のコイルは磁石の外周側に筒状に配置され、回路基板に装着される。第１調整部及び第２調整部は、軸支持部の外側面に回動自在にそれぞれ装着される。第１調整部及び第２調整部は、円板状に構成され、円形の面に直径に沿って突出するつまみ部が形成される。
【０００５】
第１調整部は、制動モードの設定に用いられ、第２調整部は、設定された制動モードの制動力の大きさを調整するために設けられる。第１調整部は、開閉可能なカバー部によって覆われ、カバー部を閉じているときには操作できない。第２調整部は、カバー部に設けられた開口部から露出し、いつでも自由に調整できる。これによって、第１調整部を誤操作することによる制動モードの変化が生じにくくなる。
【先行技術文献】
【特許文献】
【０００６】
【特許文献１】特開２００７−１３５４１７号公報
【発明の概要】
【発明が解決しようとする課題】
【０００７】
従来の両軸受リールでは、第１調整部及び第２調整部が円形の面で操作されるため、第１調整部及び第２調整部のスプールの回転軸方向の厚みが大きくなる。このため、第１調整部を覆うと、両軸受リールのスプールの回転軸方向の寸法が大きくなる。
【０００８】
本発明の課題は、第１調整部及び第２調整部の少なくともいずれかが覆われる両軸受リールのスプールの回転軸方向の寸法を小さくすることにある。
【課題を解決するための手段】
【０００９】
本発明に係る両軸受リールは、対向する一対の側板を有するリール本体と、側板の間に、回転可能に保持されるスプールと、リール本体に装着され、スプールの回転を制動する制動ユニットと、を備える。制動ユニットは、第１周縁部と、第１周縁部とは異なる第２周縁部と、第１調整部と、第２調整部と、を有する。第１調整部は、第１周縁部から少なくとも一部が露出する第１露出部を有し、制動力を第１調整範囲で調整する。第２調整部は、第２周縁部から少なくとも一部が露出する第２露出部を有し、制動力を第１調整範囲と異なる第２調整範囲で調整する。リール本体は、第１露出部及び第２露出部の少なくともいずれかを覆う規制部を有する。
【００１０】
この両軸受リールでは、制動ユニットの第１周縁部から第１調整部の少なくとも一部を露出させ、第２周縁部から第２調整部の少なくとも一部を露出させる。第１調整部及び第２調整部の少なくともいずれかは、制動ユニットがリール本体に装着されると、規制部によって覆われる。ここでは、第１調整部及び第２調整部は、第１周縁部及び第２周縁部から別々に露出するように構成されるので、第１調整部及び第２調整部のスプールの回転軸方向の寸法が小さくなる。また、制動ユニットをリール本体に装着すると、露出した第１調整部及び第２調整部の少なくともいずれかは、規制部によって覆われる。このため、第１調整部及び第２調整部の少なくともいずれかが覆われる両軸受リールのスプールの回転軸方向の寸法を小さくすることができる。
【００１１】
制動ユニットは、第１周縁部に設けられ、第１露出部を露出させる第１開口部、及び第２周縁部に設けられ、第２露出部を露出させる第２開口部を有し、リール本体に装着可能なカバー部を有してもよい。
【００１２】
この場合には、カバー部の第１周縁部に設けられる第１開口部が第１露出部の少なくとも一部を露出させ、第２周縁部に設けられる第２開口部が第２露出部の少なくとも一部を露出させる。第１露出部は第１開口部から少なくとも一部が露出されるが、カバー部がリール本体に装着されると、規制部が第１開口部を覆い、第１露出部は規制部によって覆われる。これにより、制動ユニットの必要箇所だけを露出させることができるので、露出を最小限に抑えることでき、制動ユニットの一体化が可能となり、第１調整部と第２調整部とを有し第１調整部がカバー部によって覆われる両軸受リールのスプールの回転軸方向の寸法を可及的に小さくすることができる。
【００１３】
第１調整部及び第２調整部の少なくとも一部は、スプールの回転軸と直交する同一平面上に配置されてもよい。この場合には、第１調整部と第２調整部とをスプールの回転軸と直交する面に重ねて配置できるので、両軸受リールのスプールの回転軸方向の寸法をさらに小さくすることができる。
【００１４】
制動ユニットは、スプールを電気的に制動可能であってもよい。この場合には、スプールを電気的に制動できるので、制動力の時間変化をスプールの回転速度に制限されることなく自由に設定できる。
【００１５】
第１調整部は、少なくとも１つの第１磁石を有し、少なくとも一部が第１周縁部から露出する第１調整操作部と、第１磁石に対向し、第１調整操作部の調整位置を検出する第１検出部と、を有してもよい。この場合には、第１磁石の磁束を検出して、第１調整操作部の操作位置を検出できるので、第１検出部の配置の制限を緩和できる。
【００１６】
第２調整部は、少なくとも１つの第２磁石を有し、少なくとも一部が第２周縁部から露出する第２調整操作部と、第２磁石に対向し、第２調整操作部の調整位置を検出する第２検出部と、を有してもよい。この場合には、第２磁石の磁束を検出して、第２調整操作部の操作位置を検出できるので、第２検出部の配置の制限を緩和できる。
【００１７】
第１調整部は、制動力の時間変化が異なる複数の制動モードのいずれかを選択するために設けられてもよい。この場合には、使用頻度が低い第１調整部の誤操作を防止できる。
【００１８】
第２調整部は、制動力の大きさが異なる複数の制動力のいずれかを選択するために設けられてもよい。この場合には、使用頻度が高い第２調整部を迅速に操作できる。
【００１９】
制動ユニットは、スプールを機械的に制動可能である。この場合には、磁気又は遠心力によってスプールを機械的に制動可能な制動ユニットに第１調整部及び第２調整部を設け、第１調整部及び第２調整部の少なくともいずれかを覆っても、両軸受リールのスプールの回転軸方向の寸法を可及的に小さくすることができる。
【発明の効果】
【００２０】
本発明によれば、第１調整部及び第２調整部は、第１周縁部及び第２周縁部から別々に露出するように構成されるので、第１調整部及び第２調整部は、それぞれの外周部を指先で触って操作することになる。このため、第１調整部及び第２調整部のスプール軸方向の寸法が小さくなる。
【図面の簡単な説明】
【００２１】
【図１】本発明の一実施形態を採用した両軸受リールの斜視図。
【図２】制動ユニットを含む両軸受リールの分解斜視図。
【図３】制動ユニットの斜視図。
【図４】スプール及び磁石の断面図。
【図５】制動ユニットの分解斜視図。
【図６】回路基板の第１面側の平面図。
【図７】回路基板の第２面側の底面図。
【発明を実施するための形態】
【００２２】
図１及び図２において、本発明の一実施形態が採用された両軸受リール１００は、リール本体１と、ハンドル２と、スプール１２と、スプール１２を電気的に制動する制動ユニット２０（図２参照）と、を備える。
【００２３】
＜リール本体＞
リール本体１は、一体形成されたフレーム５と、フレーム５のハンドル２側に配置される側カバー７と、を有する。
【００２４】
フレーム５は、図２に示すように、ハンドル２と逆側に配置された第１側板５ａと、第１側板５ａと対向して配置される第２側板５ｂと、第１側板５ａと第２側板５ｂとを連結する複数の連結部５ｃと、サムレスト９と、を有する。第１側板５ａ及び第２側板５ｂは、対向する一対の側板の一例である。第１側板５ａは、スプール１２が通過可能な円形の開口５ｄを有する。複数の連結部５ｃのうち、第１側板５ａと第２側板５ｂを下側で連結する連結部５ｃには、釣り竿に装着される竿取付脚５ｅが設けられる。開口５ｄの周囲で、フレーム５の第１側板５ａに制動ユニット２０が着脱可能に設けられる。
【００２５】
サムレスト９は、図１及び図２に示すように、第１側板５ａの上部に外側に張り出して形成される第１張り出し部９ａと、第２側板５ｂの上部に外側に張り出して形成される第２張り出し部９ｂと、フレーム５の前部で第１側板５ａと第２側板５ｂとを連結し前方に張り出して形成される第３張り出し部９ｃと、を有する。
【００２６】
ハンドル２は、リール本体１に回転自在に支持される。スプール１２は、第１側板５ａと第２側板５ｂとの間でリール本体１に回転自在に保持される。
【００２７】
スプール１２は、図４に示すように、釣り糸を巻き付け可能な糸巻き部１２ａと、糸巻き部１２ａと一体に形成されスプール軸１６に固定される筒状部１２ｂと、を有する。筒状部１２ｂの内周面にスプール軸１６が一体回転可能に連結される。スプール軸１６は、一端が後述する軸支持部８に軸受１８によって回転自在に支持される。スプール軸１６の他端は側カバー７に図示しない軸受によって回転自在に支持される。
【００２８】
＜制動ユニット＞
制動ユニット２０は、図２、図３及び図５に示すように、軸支持部８を有するカバー部６と、制動部３０と、回路基板３１と、制動部３０の制動力を第１調整範囲で調整する第１調整部３２と、制動部３０の制動力を第２調整範囲で調整する第２調整部３４と、スプール１２の回転を検出する回転検出部３６（図６参照）と、カバー部材３８と、磁束遮蔽部材４０と、を備える。
【００２９】
＜カバー部＞
図２に示すように、カバー部６は、フレーム５の第１側板５ａに着脱可能に装着される。カバー部６は、カバー本体６ａと、カバー本体６ａの内側面６ｂに装着される軸支持部８と、を有する。
【００３０】
＜カバー本体＞
カバー本体６ａの内側面６ｂには、軸支持部８を固定するための複数（例えば３つ）の固定ボス部６ｃが形成される。また、内側面６ｂには、制動ユニット２０の後述する第１調整操作部５０及び第２調整操作部５４を回動自在に装着するための第１装着ボス部６ｄ及び第２装着ボス部６ｅが各別に形成される。第１装着ボス部６ｄは、第１軸Ｘ１を中心に筒状に形成される。第１軸Ｘ１は、カバー本体６ａが第１側板５ａに装着された状態で、後述するスプール軸１６と同芯に配置される。第２装着ボス部６ｅは、第１軸Ｘ１と平行な第２軸Ｘ２を中心に形成される。第２軸Ｘ２は、第１軸Ｘ１よりも前方かつ竿取付脚５ｅの近くに配置される。
【００３１】
カバー本体６ａは、サムレスト９によって覆われる上側に設けられる第１周縁部６ｆと、第１周縁部６ｆとは異なる第２周縁部６ｇとを有する。カバー本体６ａの第１周縁部６ｆはサムレスト９に接触可能に配置され、サムレスト９の第１張り出し部９ａによって覆われる。第１張り出し部９ａは、規制部の一例である。第２周縁部６ｇは第１周縁部６ｆと反対側（竿取付脚５ｅに近い下側に）に配置される。第１周縁部６ｆは、第１調整部３２の第１調整操作部５０を外部に露出させるために概ね矩形に形成された第１開口部６ｈを有する。第２周縁部６ｇは、第２調整部３４の第２調整操作部５４を外部に露出させるために概ね矩形に形成された第２開口部６ｉを有する。第１周縁部６ｆは、図１に示すように、制動ユニット２０がリール本体１に装着された状態では、第１張り出し部９ａによって覆われる。第２周縁部６ｇは、リール本体１に覆われない。また、第１周縁部６ｆは、図２に示すように、制動ユニット２０がリール本体１から外されると、第１調整部３２の第１調整操作部５０の少なくとも一部を第１開口部６ｈから露出させる。第１調整操作部５０は、第１開口部６ｈから僅かに突出して配置される。
【００３２】
＜軸支持部＞
軸支持部８は、図２及び図３に示すように、スプール１２のスプール軸１６の一端を回転自在に支持する。スプール軸１６はスプール１２の回転軸の一例である。軸支持部８は、扁平有底円筒状の部材である。軸支持部８の中心には、スプール軸１６の一端を回転自在に支持するための軸受１８が収納される筒状の軸受収納部８ａが内側面から突出して形成される。軸支持部８の外周面８ｂには、軸支持部８を開口５ｄの周囲で第１側板５ａに対して着脱するための着脱リング２２が回動自在に装着される。着脱リング２２は公知のバヨネット構造によって、軸支持部８を第１側板５ａに着脱可能に装着する。着脱リング２２は外周面に径方向外方に突出する複数（例えば３つ）の爪部２２ａと、着脱操作のための操作把手２２ｂと、を有する。複数の爪部２２ａは、厚さが徐々に薄くなる傾斜面を有し、開口５ｄの周囲に形成された図示しない複数の係合溝に係合する。操作把手２２ｂを指先で下方に操作して、着脱リング２２を一方向（例えば図２の反時計回り）に回転させると、爪部２２ａが係合溝から離脱し、軸支持部８及びカバー部６が第１側板５ａから外れる。また、操作把手２２ｂを指先で例えば上方に操作して、着脱リング２２を他方向に回転させると、爪部２２ａが係合溝に係合し、軸支持部８及びカバー部６が第１側板５ａに固定される。軸支持部８は、複数本（例えば３本）のボルト部材２４によって、制動ユニット２０の一部の構成とともにカバー部６に固定される。軸支持部８がカバー部６に固定された状態では、着脱リング２２は、スプール軸方向の移動が規制され、軸支持部８に対して回転自在になる。
【００３３】
＜制動部＞
制動部３０は、スプール１２と一体回転可能に設けられる制動磁石４４、及び制動磁石４４の外周側に所定の隙間をあけて筒状に配置され、直列接続された複数のコイル４６を有する。制動磁石４４は、スプール軸１６に一体回転可能に装着される。この実施形態では、制動磁石４４は、接着によってスプール軸１６に固定される。制動磁石４４は、円筒形磁石である。複数のコイル４６は、コイル取付部材４８によって回路基板３１に装着される。直列接続された複数のコイル４６の両端は、回路基板３１に電気的に接続される。この実施形態では、コイル４６は４つ設けられる。各コイル４６はそれぞれ円弧状に湾曲して形成され、複数のコイル４は、全体として概ね筒状に形成される。
【００３４】
＜回路基板＞
回路基板３１は、図２及び図５に示すように、貫通孔３１ｃを有する円板状に形成される。回路基板３１は、軸支持部８の軸受収納部８ａの外周側でスプール１２と対向する面に装着される。回路基板３１は、コイル４６が装着される第１面３１ａと、第１面３１ａと反対側の第２面３１ｂと、を有する。回路基板３１は、ボルト部材２４によって、軸支持部８、カバー部材３８、及び磁束遮蔽部材４０とともに、カバー部６に固定される。
【００３５】
＜第１調整部＞
第１調整部３２は、制動部３０の、制動力の時間変化が異なる複数の制動モードのいずれかを選択するために設けられる。この実施形態では、例えば、釣り糸の種類（たとえば、ナイロンライン、フロロカーボンライン（ポリフッ化ビニリデン製の糸）、ＰＥライン（ポリエチレン繊維を縒り合わせた糸））に応じた３つの制動モードに調整可能である。
【００３６】
第１調整部３２は、少なくとも１つ（例えば２つ）の第１磁石５０ａを有する第１調整操作部５０、及び２つの第１磁石５０ａに対向し、第１調整操作部５０の調整位置を検出する第１検出部５２（図５及び７参照）を有する。
【００３７】
第１調整操作部５０は、リール本体１に複数段階の第１調整範囲に移動可能に設けられる。この実施形態では、第１調整操作部５０は、カバー本体６ａの内側面６ｂに、例えば３段階の第１調整範囲に位置決め可能に回動自在に設けられる。第１調整操作部５０は、例えば２つの第１磁石５０ａが装着されるレバー部材５０ｂを有する。レバー部材５０ｂは、先端に円弧状に湾曲し、表面に周方向に間隔を隔てて形成された複数の凸部５０ｄを有する第１露出部５０ｃを有する。レバー部材５０ｂは、第１装着ボス部６ｄの外周面に第１軸Ｘ１回りに第１調整範囲で回動自在に取り付けられる。第１調整範囲は、例えば３０度以下の範囲である。この実施形態では、第１装着ボス部６ｄがスプール軸１６と同芯に配置されるので、第１調整操作部５０は、スプール軸１６回りに回動する。第１調整操作部５０の第１露出部５０ｃは、カバー部６に装着された状態で、第１周縁部６ｆに形成された第１開口部６ｈから突出して露出する。しかし、カバー部６が第１側板５ａに装着された状態、すなわち制動ユニット２０がリール本体１に装着された状態では、第１周縁部６ｆがサムレスト９によって覆われるため、第１調整操作部５０の第１露出部５０ｃは、リール本体１内に隠れる。これによって、釣りをしているときに、使用者の意志に反して、調整された状態が変化しない。
【００３８】
第１検出部５２は、図５及び図７に示すように、制動磁石４４から離れた回路基板３１の第２面３１ｂの外周側に配置される。第１検出部５２は、第２面３１ｂに２つの第１磁石５０ａに対向可能な位置に配置された２つのホール素子５２ａ、５２ｂを有する。２つのホール素子５２ａ、５２ｂは、第１軸Ｘ１回りに間隔を隔てて配置される。
【００３９】
＜第２調整部＞
第２調整部３４は、制動部３０の、強さが異なる複数の制動力のいずれかを選択するために設けられる。この実施形態では、例えば、制動力の強さを８段階に調整可能である。第２調整部３４は、少なくとも１つ（例えば３つ）の第２磁石５４ａを有する第２調整操作部５４、及び３つの第２磁石５４ａに対向し、第２調整操作部５４の調整位置を検出する第２検出部５６を有する。
【００４０】
第２調整操作部５４は、リール本体１に複数段階の第２調整範囲に移動可能に設けられる。この実施形態では、第２調整操作部５４は、カバー本体６ａの内側面６ｂに、例えば８段階の第２調整範囲に位置決め可能に回動自在に設けられる。第２調整範囲は、例えば１２０度以下の範囲である。第２調整操作部５４は、例えば３つの第２磁石５４ａが装着される操作部本体５４ｂと、操作部本体５４ｂに、例えば弾性係合によって固定される第２露出部５４ｃと、を有する。操作部本体５４ｂは、第２装着ボス部６ｅにねじ込まれるネジ部材５５によって、カバー本体６ａの内側面６ｂに第２軸Ｘ２回りに回動自在に取り付けられる。第２露出部５４ｃは、カバー部６がリール本体１に装着された状態で、第２周縁部６ｇに形成された第２開口部６ｉから露出する。これによって、釣りをしているときに、両軸受リール１００をパーミングする指の先端で第２調整操作部５４を調整可能である。
【００４１】
第２検出部５６は、図７に示すように、制動磁石４４から離れた回路基板３１の第２面３１ｂの外周側に配置される。第２検出部５６は、回路基板３１の第２面３１ｂに第１検出部５２と実質的に１８０度間隔を隔てて配置される。第２検出部５６は、回路基板３１の第２面３１ｂに３つの第２磁石５４ａに対向可能な位置に配置された３つのホール素子５６ａ、５６ｂ、５６ｃを有する。３つのホール素子５６ａ、５６ｂ、５６ｃは、第２軸Ｘ２回りに間隔を隔てて配置される。
【００４２】
＜回転検出部＞
回転検出部３６は、図６に示すように、制動磁石４４の磁束の変化によって、スプール１２の回転速度及びスプール１２の回転方向を検出するために設けられる。また、スプール１２の回転速度の時間変化によって釣り糸に作用する張力も検出可能である。回転検出部３６は、回路基板３１の第１面３１ａの内周側に、第１軸Ｘ１回りに間隔を隔てて配置された２つのホール素子３６ａ、３６ｂを有する。
【００４３】
＜カバー部材＞
カバー部材３８は、図２に示すように、回路基板３１、コイル４６、及び回路基板３１に搭載された電装品を絶縁するために設けられる合成樹脂製の段付き筒状の部材である。カバー部材３８は、複数のコイル４６の先端、内周部及び外周部を覆う第１カバー部３８ａと、回路基板３１の外周部、内周部、第１面３１ａ、及び第２面３１ｂを覆い、第１カバー部３８ａと一体形成された第２カバー部３８ｂと、を有する。第１カバー部３８ａは、制動磁石４４の外周側に配置される。すなわち、カバー部材３８は、コイル４６及び検出部を含む電気部品が装着された回路基板３１の全面を覆って、回路基板３１を封止する。第２カバー部３８ｂは、スプール１２と対向する側で第１カバー部３８ａとの間に段差面３８ｃを有する。なお、図３では、カバー部材３８の図示を省略している。
【００４４】
＜磁束遮蔽部材＞
磁束遮蔽部材４０は、図６及び図７に示すように、例えば鉄板製の部材である。磁束遮蔽部材４０は、第１検出部５２及び第２検出部５６に向かう制動磁石４４の磁束を遮蔽するために設けられる。磁束遮蔽部材４０を設けることによって、第１検出部５２及び第２検出部５６が制動磁石４４の磁束の影響を受けることなく第１磁石５０ａ及び第２磁石５４ａを精度よく検出できる。磁束遮蔽部材４０は、第１検出部５２と制動磁石４４との間に配置される。また、磁束遮蔽部材４０は、第２検出部５６と制動磁石４４との間にも配置される。磁束遮蔽部材４０は、第２カバー部３８ｂのスプール１２と対向する段差面３８ｃに固定されたリング状の第１遮蔽部４０ａと、回路基板３１の第１面３１ａに、例えば接着などの適宜の固定手段によって固定され、第１遮蔽部４０ａよりも内周側を遮蔽する第２遮蔽部４０ｂと、を有する。第１遮蔽部４０ａは、軸支持部８及びカバー部材３８によって封止された回路基板３１とともに、ボルト部材２４によってカバー部６に固定される。
【００４５】
このように構成された制動ユニット２０では、以前使用した釣り糸と異なる釣り糸を使用する場合、カバー部６をリール本体１から外す。具体的には、両軸受リール１００の後部に配置される操作把手２２ｂを指先で下方に操作して、着脱リング２２を一方向（例えば図２の反時計回り）に回転させると、回路基板３１からカバー部６までの制動ユニット２０がリール本体１から外れる。この状態が図２に示す状態である。これによって、第１調整部３２の第１調整操作部５０が第１周縁部６ｆの第１開口部６ｈから露出し、釣り糸の種類に応じた制動モードに調整操作できる。調整操作が終わると、制動ユニット２０をリール本体に密着させ、操作把手２２ｂを指先で例えば上方に操作して、着脱リング２２を他方向に回転させると、制動ユニット２０がリール本体に装着される。
【００４６】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００４７】
（ａ）上記実施形態では、制動ユニット２０がスプール１２を電気的に制動可能であったが、本発明はこれに限定されない。制動ユニットは、スプールを、磁気又は遠心力などを利用して機械的に制動可能であってもよい。
【００４８】
（ｂ）上記実施形態では、カバー部６がリール本体１に着脱可能に装着されたが、本発明はこれに限定されない。例えば、カバー部は、リール本体に揺動可能に連結され、リール本体に開閉可能に装着されてもよい。
【００４９】
（ｃ）上記実施形態では、検出精度を高めるために、第１磁石５０ａ及び第２磁石５４ａが複数設けられたが、これらは少なくとも一つ設けられればよい。また、ホール素子は、それぞれ少なくとも一つ設けられればよい。さらに磁石とホール素子の数は異なってもよい。
【００５０】
（ｄ）上記実施形態では、第１検出部５２、第２検出部５６及び回転検出部３６にそれぞれホール素子を用いたが、本発明はこれに限定されない。これらは、磁束の変化を検出できるものであれば、どのような磁気センサでもよい。
【００５１】
＜特徴＞
上記実施形態は、下記のように表現可能である。
【００５２】
（Ａ）両軸受リール１００は、対向する一対の第１側板５ａ及び第２側板５ｂを有するリール本体１と、第１側板５ａと第２側板５ｂの間に、回転可能に保持されるスプール１２と、リール本体１に装着され、スプール１２の回転を制動する制動ユニット２０と、を備える。制動ユニット２０は、第１周縁部６ｆと、第１周縁部６ｆとは異なる第２周縁部６ｇと、第１調整部３２と、第２調整部３４と、有する。第１調整部３２は、第１周縁部６ｆから少なくとも一部が露出する第１露出部５０ｃを有し、制動力を第１調整範囲で調整する。第２調整部３４は、第２周縁部６ｇから少なくとも一部が露出する第２露出部５４ｃを有し、制動力を第１調整範囲と異なる第２調整範囲で調整する。リール本体１は、第１露出部５０ｃ及び第２露出部５４ｃの少なくともいずれか一方を覆う第１張り出し部９ａを有する。
【００５３】
この両軸受リール１００では、制動ユニット２０の第１周縁部６ｆから第１調整部３２の少なくとも一部を露出させ、第２周縁部６ｇから第２調整部３４の少なくとも一部を露出させる。第１調整部３２及び第２調整部３４の少なくともいずれかは、制動ユニット２０がリール本体１に装着されると、規制部によって覆われる。ここでは、第１調整部及び第２調整部は、第１周縁部及び第２周縁部から別々に露出するように構成されるので、第１調整部及び第２調整部のスプールの回転軸方向の寸法が小さくなる。また、制動ユニット２０をリール本体１に装着すると、露出した第１調整部３２及び第２調整部３４の少なくともいずれかは、第１張り出し部９ａによって覆われる。このため、第１調整部３２及び第２調整部３４の少なくともいずれかが覆われる両軸受リール１００のスプール１２の回転軸方向の寸法を小さくすることができる。
【００５４】
（Ｂ）制動ユニットは、第１周縁部６ｆに設けられ、第１露出部５０ｃを露出させる第１開口部６ｈ、及び第２周縁部に設けられ、第２露出部を露出させる第２開口部を有し、リール本体に装着可能なカバー部６を、有してもよい。
この場合には、リール本体１からカバー部６を外すと、第１調整部３２の第１露出部５０ｃが第１開口部６ｈから露出するため、第１調整部３２を操作できる。
【００５５】
（Ｃ）第１調整部３２及び第２調整部３４の少なくとも一部は、スプール１２のスプール軸１６と直交する同一平面上に配置されてもよい。この場合には、第１調整部３２と第２調整部３４とをスプール１２のスプール軸１６と直交する面に重ねて配置できるので、両軸受リール１００のスプール軸１６方向の寸法をさらに小さくすることができる。
【００５６】
（Ｄ）制動ユニット２０は、スプール１２を電気的に制動可能であってもよい。この場合には、スプール１２を電気的に制動できるので、制動力の時間変化をスプール１２の回転速度に制限されることなく自由に設定できる。
【００５７】
（Ｅ）第１調整部３２は、少なくとも１つの第１磁石５０ａを有し、少なくとも一部が第１周縁部６ｆから露出する第１調整操作部５０と、第１磁石５０ａに対向し、第１調整操作部５０の調整位置を検出する第１検出部５２と、を有してもよい。この場合には、第１磁石５０ａの磁束を検出して、第１調整操作部５０の操作位置を検出できるので、第１検出部５２の配置の制限を緩和できる。
【００５８】
（Ｆ）第２調整部３４は、少なくとも１つの第２磁石５４ａを有し、少なくとも一部が第２周縁部６ｇから露出するする第２調整操作部５４と、第２磁石５４ａに対向し、第２調整操作部５４の調整位置を検出する第２検出部５６と、を有してもよい。この場合には、第２磁石５４ａの磁束を検出して、第２調整操作部５４の操作位置を検出できるので、第２検出部５６の配置の制限を緩和できる。
【００５９】
（Ｇ）第１調整部３２は、制動力の時間変化が異なる複数の制動モードのいずれかを選択するために設けられてもよい。この場合には、使用頻度が低い第１調整部３２の誤操作を防止できる。
【００６０】
（Ｈ）第２調整部３４は、制動力の大きさが異なる複数の制動力のいずれかを選択するために設けられてもよい。この場合には、使用頻度が高い第２調整部３４を迅速に操作できる。
【００６１】
（Ｉ）制動ユニット２０は、スプール１２を機械的に制動可能である。この場合には、磁気又は遠心力によってスプールを機械的に制動可能な制動ユニットに第１調整部及び第２調整部を設け、第１調整部及び第２調整部の少なくともいずれかを覆っても、スプールの回転軸方向の寸法を可及的に小さくすることができる。
【符号の説明】
【００６２】
１    リール本体
５ａ  第１側板
５ｂ  第２側板
６    カバー部
６ｆ  第１周縁部
６ｇ  第２周縁部
６ｈ  第１開口部
６ｉ  第２開口部
１２    スプール
１６    スプール軸
２０    制動ユニット
３２    第１調整部
３４    第２調整部
５０    第１調整操作部
５０ａ  第１磁石
５０ｃ  第１露出部
５２    第１検出部
５４    第２調整操作部
５４ａ  第２磁石
５４ｃ  第２露出部
５６    第２検出部
１００    両軸受リール
【図１】
0006457212.tif 000002
【図２】
0006457212.tif 000003
【図３】
0006457212.tif 000004
【図４】
0006457212.tif 000005
【図５】
0006457212.tif 000006
【図６】
0006457212.tif 000007
【図７】
0006457212.tif 000008